(57)【特許請求の範囲】
【請求項１】
ユーザにより選択された読み込み解像度に応じて、ユーザにより選択された第１のサイズの原稿をカラーで読み取って、ユーザにより選択され且つ前記第１のサイズより大きい第２のサイズの拡大画像データを作成する拡大手段と、
前記拡大手段によって作成された拡大画像データを所定のネットワークを介して他の機器へ送信する送信手段と、
前記拡大手段によって拡大画像データを作成するときに、前記読み込み解像度、前記第１のサイズ及び前記第２のサイズの組み合わせが前記拡大画像データを送信できない組み合わせとなっているか否かを判断する判断手段と、
前記判断手段によって前記読み込み解像度、前記第１のサイズ及び前記第２のサイズの組み合わせが前記拡大画像データを送信できない組み合わせであると判断された場合、前記拡大画像データを送信できないことに関する情報をユーザに通知する通知手段とを備えることを特徴とする画像読み取り装置。
【請求項２】
前記通知手段は、前記読み込み解像度、前記第１のサイズ及び前記第２のサイズの組み合わせが前記拡大画像データを送信できない組み合わせであると前記判断手段によって判断された場合、前記拡大画像データを送信できないこと及び／又は前記読み込み解像度を変更することにより前記拡大画像データの送信ができることをユーザに通知することを特徴とする請求項１記載の画像読み取り装置。
【請求項３】
前記画像読み取り装置に対する操作指令をユーザが入力するための操作領域を有し、前記読み込み解像度を設定するための設定ボタンが前記操作領域の一方の端部に配置された操作手段をさらに備えることを特徴とする請求項１又は２記載の画像読み取り装置。
【請求項４】
前記読み込み解像度、前記第１のサイズ及び前記第２のサイズの組み合わせが前記拡大画像データを送信できない組み合わせであると前記判断手段によって判断された場合、前記拡大画像データを送信できるように前記読み込み解像度を変更する変更手段をさらに備え、
前記通知手段は、前記変更手段によって前記拡大画像データを送信できるように前記読み込み解像度が変更された場合、前記変更手段によって前記拡大画像データを送信できるように前記読み込み解像度が変更されたことをユーザに通知することを特徴とする請求項１〜３のいずれかに記載の画像読み取り装置。
【請求項５】
前記変更手段による読み込み解像度の変更をユーザの選択に応じて許可する許可手段をさらに備えることを特徴とする請求項４記載の画像読み取り装置。
【発明の詳細な説明】
【０００１】
【発明の属する技術分野】
本発明は、所定のネットワークを介して他の機器へ画像データを送信可能に構成された画像読み取り装置、特に、スキャナ機能、ファクシミリ機能、プリンタ機能及びコピー機能等を統合したネットワーク型デジタル複合機等に関するものである。
【０００２】
【従来の技術】
近年、種々の機器にネットワーク機能が付加され、例えば、クライアントＰＣへ画像データをダイレクトに送信することができるネットワークスキャナが開発されている（例えば、特許文献１参照。）
また、スキャナ機能、ファクシミリ機能、プリンタ機能及びコピー機能等を統合したネットワーク型デジタル複合機が開発され、例えば、スキャナ機能として、原稿から白黒の画像データを読み取ってこの原稿を拡大又は縮小した白黒の画像データをネットワークを介して所望のコンピュータ等へ送信可能にしたものがある。
【０００３】
【特許文献１】
特開平１０−３０８８４０号公報  （第４−９頁、図４−図９）
【０００４】
【発明が解決しようとする課題】
しかしながら、上記の従来のデジタル複合機では、システム的な制約により原稿を拡大してカラーの画像データを送信できない場合があり、例えば、読み込み解像度６００ｄｐｉでＡ４サイズの原稿をＡ３サイズに拡大してカラーで送信することができなかった。このため、従来のデジタル複合機では、原稿から読み取ったカラーの画像データを送信する場合、等倍すなわち原稿と同じサイズの画像データしか送信することができなかった。
【０００５】
また、原稿を拡大してカラーの画像データを送信できる場合を考慮して原稿を拡大してカラーの画像データを送信する機能を付加することも考えられるが、上記のようにシステム的な制約により原稿を拡大してカラーの画像データを送信できない場合があり、このような不完全な機能をそのままユーザに提供したのでは、ユーザを混乱させる原因となり、デジタル複合機の操作性を損なうものとなる。
【０００６】
本発明の目的は、原稿をカラーで読み取って拡大した画像データを送信することができない場合にユーザの操作を支援することができる画像読み取り装置を提供することである。
【０００７】
【課題を解決するための手段】
本発明に係る画像読み取り装置は、ユーザにより選択された読み込み解像度に応じて、ユーザにより選択された第１のサイズの原稿をカラーで読み取って、ユーザにより選択され且つ第１のサイズより大きい第２のサイズの拡大画像データを作成する拡大手段と、拡大手段によって作成された拡大画像データを所定のネットワークを介して他の機器へ送信する送信手段と、拡大手段によって拡大画像データを作成するときに、読み込み解像度、第１のサイズ及び第２のサイズの組み合わせが拡大画像データを送信できない組み合わせとなっているか否かを判断する判断手段と、判断手段によって読み込み解像度、第１のサイズ及び第２のサイズの組み合わせが拡大画像データを送信できない組み合わせであると判断された場合、拡大画像データを送信できないことに関する情報をユーザに通知する通知手段とを備えるものである。
【０００８】
本発明に係る画像読み取り装置においては、ユーザにより選択された読み込み解像度に応じて第１のサイズの原稿をカラーで読み取って第１のサイズより大きい第２のサイズの拡大画像データを作成するときに、読み込み解像度、第１のサイズ及び第２のサイズの組み合わせが拡大画像データを送信できない組み合わせであると判断された場合、拡大画像データを送信できないことに関する情報がユーザに通知される。したがって、ユーザは、現在の設定で拡大画像データを送信できないことを明確に認識することができるので、読み込み解像度、原稿画像データのサイズ及び拡大画像データのサイズのいずれかを変更して拡大画像データを送信できるようにすることができ、原稿をカラーで読み取って拡大した画像データを送信することができない場合にユーザの操作を支援することができる。
【０００９】
通知手段は、読み込み解像度、第１のサイズ及び第２のサイズの組み合わせが拡大画像データを送信できない組み合わせであると判断手段によって判断された場合、拡大画像データを送信できないこと及び／又は読み込み解像度を変更することにより拡大画像データの送信ができることをユーザに通知することが好ましい。
【００１０】
この場合、読み込み解像度、第１のサイズ及び第２のサイズの組み合わせが拡大画像データを送信できない組み合わせであると判断されると、拡大画像データを送信できないこと及び／又は読み込み解像度を変更することにより拡大画像データの送信ができることがユーザに通知されるので、ユーザは拡大画像データを送信できるように読み込み解像度を変更することができる。
【００１１】
画像読み取り装置に対する操作指令をユーザが入力するための操作領域を有し、読み込み解像度を設定するための設定ボタンが操作領域の一方の端部に配置された操作手段をさらに備えることが好ましい。
【００１２】
この場合、読み込み解像度を設定するための設定ボタンが操作手段の操作領域の一方の端部に配置されるので、ユーザは操作パネル手段のどこに設定ボタンがあるかを一目で認識することができ、読み込み解像度の変更を容易に行うことができる。
【００１３】
読み込み解像度、第１のサイズ及び第２のサイズの組み合わせが拡大画像データを送信できない組み合わせであると判断手段によって判断された場合、拡大画像データを送信できるように読み込み解像度を変更する変更手段をさらに備え、通知手段は、変更手段によって拡大画像データを送信できるように読み込み解像度が変更された場合、変更手段によって拡大画像データを送信できるように読み込み解像度が変更されたことをユーザに通知することが好ましい。
【００１４】
この場合、読み込み解像度、第１のサイズ及び第２のサイズの組み合わせが拡大画像データを送信できない組み合わせであると判断されると、拡大画像データを送信できるように読み込み解像度が自動的に変更されるので、ユーザ自身が読み込み解像度を変更する操作をしなくても読み込み解像度を適切な値に変更することができ、拡大画像データ送信時の操作性を向上することができる。また、拡大画像データを送信できるように読み込み解像度を自動的に変更したことがユーザに通知されるので、ユーザの希望しない読み込み解像度が自動的に設定されて拡大画像データが送信されることを防止することができる。
【００１５】
変更手段による読み込み解像度の変更をユーザの選択に応じて許可する許可手段をさらに備えることが好ましい。この場合、ユーザの選択に応じて読み込み解像度の自動変更を許可することができるので、ユーザは自身の好みに応じて解像度の変更方法を選択することができ、拡大画像データ送信時の操作性を向上することができる。
【００１６】
【発明の実施の形態】
以下、本発明による画像読み取り装置の一例として本発明の一実施の形態によるデジタル複合機について図面を参照しながら説明する。図１は、本発明の一実施の形態によるデジタル複合機を用いたネットワークシステムの構成を示すブロック図である。
【００１７】
図１に示すネットワークシステムは、デジタル複合機１、複数のクライアントＰＣ（パーソナルコンピュータ）２ａ，２ｂ、ＳＭＴＰ（Simple Mail Transfer Protocol）サーバ３及び外部ＰＣ５ａ，５ｂを備える。デジタル複合機１、クライアントＰＣ２ａ，２ｂ及びＳＭＴＰサーバ３は、ネットワークの一例であるＬＡＮ（Local Area Network）４を介して相互に通信可能に接続され、種々のデータ等を送受信可能な状態に構成されている。ＳＭＴＰサーバ３及び外部ＰＣ５ａ，５ｂは、ネットワークの一例であるインターネット６を介して相互に通信可能に接続され、電子メールを含む種々のデータ等を送受信可能な状態に構成されている。デジタル複合機１は、ネットワークの一例である電話回線を介して外部に設置されたファクシミリ装置７にファクス送受信可能に接続されている。
【００１８】
上記のように構成されたネットワークシステムは、例えば、所定の会社において使用され、当該会社内のネットワークがＬＡＮ４として用いられ、当該会社内で社員等のユーザが使用する機器が、デジタル複合機１及びクライアントＰＣ２ａ，２ｂとなり、当該会社の支社等に設置され且つ当該支社の社員等のユーザが使用する機器が、外部ＰＣ５ａ，５ｂ及びファクシミリ装置７となる。
【００１９】
なお、上記のネットワークシステムの構成は、種々の変更が可能であり、ＬＡＮ４等を介してデジタル複合機１に接続可能なクライアントＰＣ、外部ＰＣ及びファクシミリ装置等の台数を変更したり、ＬＡＮ４とインターネット６とを接続する機器としてＳＭＴＰサーバ３以外にゲートウェイ、ルータ等を適宜設けてもよく、文書管理サーバ等の種々のサーバ等をさらに付加してもよい。
【００２０】
デジタル複合機１は、スキャナ機能、ファクシミリ機能、プリンタ機能、及びコピー機能等の複合機能を備えたディジタル方式の複写機である。デジタル複合機１では、上記の各機能を組み合わせて種々の機能が実現され、例えば、スキャナ機能として、ＰＣ送信機能、Ｅ−ｍａｉｌ送信機能、ＦＡＸ送信機能等が実現される。
【００２１】
ここで、ＰＣ送信機能とは、原稿から読み取った画像データをデジタル複合機１からＬＡＮ４を介して任意のクライアントＰＣ２ａ，２ｂ等へ直接送信する機能である。Ｅ−ｍａｉｌ送信機能とは、原稿から読み取った画像データを電子メールの添付ファイルとしてデジタル複合機１からＬＡＮ４を介してＳＭＴＰサーバ３へ直接送信し、さらにＳＭＴＰサーバ３からインターネット６を介して任意の外部ＰＣ５ａ，５ｂ等へ当該電子メールを送信することにより、原稿から読み取った画像データを電子メールの添付ファイルとして送信する機能である。ＦＡＸ送信機能とは、原稿から読み取った画像データをデジタル複合機１から電話回線を介して任意のファクシミリ装置７等へ直接送信する機能である。
【００２２】
図２は、図１に示すデジタル複合機の機械的構成を主に示す側面概略図である。デジタル複合機１は、本体部２００と、本体部２００の左側に配設された用紙後処理部３００と、ユーザが種々の操作指令等を入力するための操作部４００と、本体部２００の上部に配設された原稿読み取り部５００と、原稿読み取り部５００の上方に配設された原稿給送部６００とから構成される。
【００２３】
操作部４００は、タッチパネル４０１、スタートキー４０２及びテンキー４０３等を備える。タッチパネル４０１は、種々の操作画面を表示するとともに、ユーザが種々の操作指令を入力するための種々の操作ボタン等を表示する。スタートキー４０２は、ユーザが印刷実行指令等を入力するために用いられ、テンキー４０３は、印刷部数等を入力するために用いられる。
【００２４】
原稿給送部６００は、原稿載置部６０１、原稿排出部６０２、給紙ローラ６０３及び原稿搬送部６０４等を備え、原稿読み取り部５００は、スキャナ５０１等を備える。給紙ローラ６０３は、原稿載置部６０１にセットされた原稿を繰り出し、原稿搬送部６０４は、繰り出される原稿を１枚ずつ順にスキャナ５０１上に搬送する。スキャナ５０１は搬送される原稿を順次読み取り、読み取られた原稿は原稿排出部６０２に排出される。
【００２５】
本体部２００は、複数の給紙カセット２０１、複数の給紙ローラ２０２、転写ローラ２０３、中間転写体ローラ２０４、感光体ドラム２０５、露光装置２０６、イエロー、マゼンタ、シアン、ブラックの各色用の現像装置２０７Ｙ，２０７Ｍ，２０７Ｃ，２０７Ｋ、定着ローラ２０８、排出口２０９、及び排出トレイ２１０等を備える。
【００２６】
感光体ドラム２０５は、矢印方向に回転しながら帯電装置（図示省略）によって一様に帯電される。露光装置２０６は、原稿読み取り部５００において読み取られた原稿の画像データに基づいて生成された変調信号をレーザ光に変換して出力し、感光体ドラム２０５に各色別に静電潜像を形成する。現像装置２０７Ｙ，２０７Ｍ，２０７Ｃ，２０７Ｋは、各色の現像剤を感光体ドラム２０５に供給して各色別のトナー画像を形成する。中間転写体ローラ２０４は、感光体ドラム２０５から各色のトナー像を転写され、中間転写体ローラ２０４上にカラーのトナー像が形成される。
【００２７】
一方、給紙ローラ２０２は、記録紙が収納された給紙カセット２０１から記録紙を引き出し、転写ローラ２０３まで給送する。転写ローラ２０３は、搬送された記録紙に中間転写体ローラ２０４上のトナー像を転写させ、定着ローラ２０８は、転写されたトナー像を加熱して記録紙に定着させる。その後、記録紙は、本体部２００の排出口２０９から用紙後処理部３００に搬入される。また、記録紙は、必要に応じて排出トレイ２１０へも排出される。
【００２８】
用紙後処理部３００は、搬入口３０１、記録紙搬送部３０２、搬出口３０３及びスタックトレイ３０４等を備える。記録紙搬送部３０２は、排出口２０９から搬入口３０１に搬入された記録紙を順次搬送し、最終的に搬出口３０３からスタックトレイ３０４へ記録紙を排出する。スタックトレイ３０４は、搬出口３０３から搬出された記録紙の集積枚数に応じて矢印方向に上下動可能に構成されている。
【００２９】
図３は、図１に示すデジタル複合機の電気的構成を主に示すブロック図である。デジタル複合機１は、スキャナ部１１、画像処理部２１、プリンタ部３１、制御部４１、操作パネル部５１、ファクシミリ通信部６１、ネットワークＩ／Ｆ（インターフェース）部７１、パラレルＩ／Ｆ部７２、シリアルＩ／Ｆ部７３及びＨＤＤ（ハードディスクドライブ）７４を備える。
【００３０】
スキャナ部１１、画像処理部２１、制御部４１、操作パネル部５１及びネットワークＩ／Ｆ部７１は、図２に示す操作部４００、原稿読み取り部５００及び原稿給送部６００に相当し、これらの各部によりスキャナ機能が実現される。スキャナ部１１、画像処理部２１、プリンタ部３１、制御部４１、操作パネル部５１及びファクシミリ通信部６１は、図２に示す本体部２００、操作部４００、原稿読み取り部５００及び原稿給送部６００に相当し、これらの各部によりファクシミリ機能が実現される。画像処理部２１、プリンタ部３１、制御部４１、操作パネル部５１、ネットワークＩ／Ｆ部７１及びパラレルＩ／Ｆ部７２は、図２に示す本体部２００及び操作部４００に相当し、これらの各部によりプリンタ機能が実現される。スキャナ部１１、画像処理部２１、プリンタ部３１、制御部４１、操作パネル部５１及びネットワークＩ／Ｆ部７１は、図２に示す本体部２００、用紙後処理部３００、操作部４００、原稿読み取り部５００及び原稿給送部６００に相当し、これらの各部によりコピー機能が実現される。
【００３１】
操作パネル部５１は、図２に示すタッチパネル４０１等から構成されるタッチパネル部５２、及び図２に示すスタートキー４０２及びテンキー４０３等から構成される操作キー部５３を含む。操作パネル部５１は、ユーザがスキャナ機能、ファクシミリ機能、プリンタ機能、コピー機能等に関する操作を行うために使用され、ユーザによる操作指令等を制御部４１に与える。タッチパネル部５２は、タッチパネルとＬＣＤ（Liquid Crystal Display）とを組み合わせたタッチパネルユニット等から構成され、種々の操作画面、例えば、スキャナ機能実行時には、ユーザ選択、送信先選択、送信設定（原稿サイズ、送信サイズ、読み込み解像度等）等に関する情報を表示するとともに、ユーザが当該部分をタッチすることにより種々の操作指令を入力するための操作ボタン等を表示する。操作キー部５３は、ユーザが印刷実行指令、スキャン開始指令、拡大送信開始指令等を入力するために用いられる。
【００３２】
制御部４１は、スキャナコントローラ４２、ファクシミリコントローラ４３、プリンタコントローラ４４及びコピーコントローラ４５を含む。制御部４１は、マイクロコンピュータ及び専用のハードウエア回路等から構成され、装置全体の動作を制御する。スキャナコントローラ４２は、スキャナ機能を実現するために用いられる各部の動作を制御する。ファクシミリコントローラ４３は、ファクシミリ機能を実現するために用いられる各部の動作を制御する。プリンタコントローラ４４は、プリンタ機能を実現するために用いられる各部の動作を制御する。コピーコントローラ４５は、コピー機能を実現するために用いられる各部の動作を制御する。
【００３３】
スキャナ部１１は、図２に示すスキャナ５０１を構成する露光ランプ１２及びＣＣＤ（電荷結合素子）１３を含む。スキャナ部１１は、露光ランプ１２により原稿を照射し、その反射光をＣＣＤ１３で受光することにより、原稿から画像を読み取り、読み取った画像に対応する画像データを画像処理部２１へ出力する。
【００３４】
画像処理部２１は、補正部２２、画像加工部２３及び画像メモリ２４を含む。画像処理部２１は、読み取られた画像データを必要に応じて補正部２２及び画像加工部２３により処理し、処理された画像データを画像メモリ２４に記憶したり、プリンタ部３１、ファクシミリ通信部６１又はネットワークＩ／Ｆ部７１等へ出力する。補正部２２は、読み取られた画像データに対してレベル補正、γ補正等の所定の補正処理を行う。画像加工部２３は、画像データの圧縮又は伸張処理、及び拡大又は縮小処理等の種々の加工処理を行う。
【００３５】
プリンタ部３１は、図２に示す給紙カセット２０１及び給紙ローラ２０２等から構成される用紙搬送部３２、図２に示す中間転写体ローラ２０４、感光体ドラム２０５、露光装置２０６及び現像装置２０７Ｙ，２０７Ｍ，２０７Ｃ，２０７Ｋ等から構成される画像形成部３３、図２に示す転写ローラ２０３等から構成される転写部３４、及び図２に示す定着ローラ２０８等から構成される定着部３５を含む。プリンタ部３１は、スキャナ部１１により読み取られた原稿データ、ネットワークＩ／Ｆ部７１を介してクライアントＰＣ２ａ，２ｂ等から送信された印刷データ、ファクシミリ通信部６１を用いてファクシミリ装置７等から受信したファクスデータ等の画像データを用いて画像を記録紙に印刷する。具体的には、用紙搬送部３２は記録紙を画像形成部３３へ搬送し、画像形成部３３は上記の画像データに対応するトナー像を形成し、転写部３４はトナー像を記録紙に転写し、定着部３５はトナー像を記録紙に定着させて画像を形成する。
【００３６】
ファクシミリ通信部６１は、符号化／復号化部（図示省略）、変復調部（図示省略）及びＮＣＵ（Network Control Unit）（図示省略）を含む。ファクシミリ通信部６１は、スキャナ部１１によって読み取られた原稿の画像データを電話回線を介してファクシミリ装置７等へ送信したり、ファクシミリ装置７等から送信された画像データを受信する。符号化／復号化部は、送信する画像データを圧縮・符号化し、受信した画像データを伸長・復号化する。変復調部は、圧縮・符号化された画像データを音声信号に変調したり、受信した信号（音声信号）を画像データに復調する。ＮＣＵは、送受信先となるファクシミリ装置７等との電話回線による接続を制御する。
【００３７】
ネットワークＩ／Ｆ部７１は、ネットワークインタフェース（10/100Base-TX）等を用い、ＬＡＮ４を介して接続されたクライアントＰＣ２ａ，２ｂ及びＳＭＴＰサーバ３間での種々のデータの送受信を制御し、例えば、スキャナ部１１によって読み取られた原稿の画像データをクライアントＰＣ２ａ，２ｂ等へ送信する。パラレルＩ／Ｆ部７２は、高速双方向パラレルインターフェイス（ＩＥＥＥ１２８４準拠）等を用い、複数の信号線を用いて複数ビット単位でデータを送信するパラレル伝送により外部機器等から印刷データ等を受信等する。シリアルＩ／Ｆ部７３は、シリアルインターフェイス（ＲＳ−２３２Ｃ）等を用い、単一の信号線を用いて1ビットずつ順次データを送るシリアル伝送により外部機器等から種々のデータ等を受信等する。
【００３８】
ＨＤＤ７４は、スキャナ部１１によって読み取られた画像データ及び当該画像データに設定されている出力形式等を記憶する。ＨＤＤ７４に記憶されている画像データは、デジタル複合機１内部で使用されるだけでなく、必要に応じて、ネットワークＩ／Ｆ部７１を介してクライアントＰＣ２ａ，２ｂ等から確認したり、クライアントＰＣ２ａ，２ｂ等の所定のフォルダへ転送される。
【００３９】
本実施の形態においては、スキャナ部１１及び画像処理部２１が拡大手段の一例に相当し、スキャナコントローラ４２、ファクシミリ通信部６１及びネットワークＩ／Ｆ部７１が送信手段の一例に相当し、スキャナコントローラ４２が判断手段及び変更手段の一例に相当し、スキャナコントローラ４２及び操作パネル部５１が通知手段及び許可手段の一例に相当し、タッチパネル部５２が操作手段の一例に相当する。
【００４０】
次に、上記のように構成されたデジタル複合機のカラー画像拡大送信処理について説明する。図４及び図５は、図３に示すデジタル複合機のカラー画像拡大送信処理の一例を説明するためのフローチャートである。
【００４１】
なお、以下の説明では、スキャナ機能としてＰＣ送信機能が選択されており、原稿サイズがＡ４サイズ、送信サイズがＡ３サイズ及び読み込み解像度が６００ｄｐｉの組み合わせではデジタル複合機のシステム的な制約によりＡ３サイズの拡大画像データを送信することができず、原稿サイズがＡ４サイズ、送信サイズがＡ３サイズ及び読み込み解像度が３００ｄｐｉの場合に原稿をスキャンすること、すなわち、Ａ４サイズの原稿を読み取って作成したＡ３サイズの拡大画像データを解像度３００ｄｐｉでクライアントＰＣ２ａ，２ｂ等へ送信できるものとする。
【００４２】
まず、ユーザがタッチパネル部５２を操作してスキャナ設定画面を表示させる指令を入力すると、ステップＳ１において、スキャナコントローラ４２は、原稿サイズ、送信サイズ及び読み込み解像度をユーザの選択に応じて設定するためのスキャナ設定画面をタッチパネル部５２に表示させ、原稿サイズ、送信サイズ及び読み込み解像度の現在の設定が表示される。
【００４３】
図６は、スキャナ設定画面の一例を示す画面図である。図６に示すように、タッチパネル部５２にスキャナ設定画面Ｇ１が表示される。スキャナ設定画面Ｇ１には、ユーザが原稿サイズを選択するための「原稿サイズ選択」ボタンＢ１、ユーザが送信サイズを選択するための「送信サイズ選択」ボタンＢ２、及びユーザが読み込み解像度を選択するための「読み込み解像度選択」ボタンＢ３等が表示される。図６に示す例では、原稿サイズが自動検知に、送信サイズがＡ３サイズに、読み込み解像度が６００ｄｐｉにそれぞれ設定されている。ここで、自動検知とは、ユーザが原稿を原稿載置部６０１にセットしたときに、原稿載置部６０１に設けられた光学センサ等からなる原稿サイズ検知センサ（図示省略）により原稿サイズを自動的に検知するものである。
【００４４】
次に、ステップＳ２において、スキャナコントローラ４２は、ユーザによる原稿サイズの設定が行われたか否かを判断し、原稿サイズの設定が行われた場合にステップＳ３へ処理を移行し、原稿サイズの設定が行われなかった場合にステップＳ５へ処理を移行する。具体的には、ユーザが図６に示す「原稿サイズ選択」ボタンＢ１をタッチすると、スキャナコントローラ４２は、ユーザが原稿サイズを設定するための原稿サイズ選択画面をタッチパネル部５２に表示させ、ユーザが原稿サイズ選択画面を用いて原稿サイズを設定したときにユーザによる原稿サイズの設定が行われたと判断し、その他の場合は原稿サイズの設定が行われなかったと判断する。
【００４５】
図７は、原稿サイズ選択画面の一例を示す画面図である。図７に示すように、タッチパネル部５２に原稿サイズ選択画面Ｇ２が表示される。原稿サイズ選択画面Ｇ２には、ユーザが原稿サイズを選択するための複数の原稿サイズボタンＢ４、及び後述する読み込み解像度変更ボタンＢ５〜Ｂ８等が表示され、図７に示す例では、「自動検知」の原稿サイズボタンＢ４が反転表示され、原稿サイズとして自動検知が選択されている状態が示されている。
【００４６】
ここで、ユーザが原稿サイズボタンＢ４のうちの一つをタッチしてユーザによる原稿サイズの設定が行われた場合、ステップＳ３において、スキャナコントローラ４２は、ユーザが設定した原稿サイズを受け付け、原稿サイズを変更する。
【００４７】
次に、ステップＳ４において、スキャナコントローラ４２は、現在設定されている原稿サイズ、送信サイズ及び読み込み解像度の組み合わせでスキャンできるか否かを判断し、スキャンできる場合はステップＳ５へ処理を移行し、スキャンできない場合はステップＳ８へ処理を移行する。
【００４８】
ここで、現在設定されている原稿サイズ、送信サイズ及び読み込み解像度の組み合わせでスキャンできるか否かの判断は、例えば、スキャナコントローラ４２内のメモリ等に、設定可能な全ての原稿サイズ、送信サイズ及び読み込み解像度の組み合わせに対してスキャン可又は不可を対応付けたテーブルを予め記憶させ、当該テーブルを参照することにより行うことができる。以下のステップＳ７，Ｓ１６，Ｓ１８も同様である。
【００４９】
スキャンできない場合、ステップＳ８において、スキャナコントローラ４２は、現在設定されている原稿サイズ、送信サイズ及び読み込み解像度の組み合わせではスキャンできないこと及びスキャンするためには読み込み解像度を下げる必要があることをユーザに通知するためのスキャン不可画面をタッチパネル部５２に表示させる。
【００５０】
図８は、原稿サイズ選択時におけるスキャン不可画面の一例を示す画面図である。図８に示すように、タッチパネル部５２にスキャン不可画面Ｇ３が表示される。スキャン不可画面Ｇ３の上部には、拡大画像データである送信サイズの画像データを送信できないことに関する情報として、「スキャンできません。（フルカラー）」及び「読み込み解像度を下げてください。」というメッセージが表示される。
【００５１】
したがって、ユーザは、原稿サイズ選択時に、現在設定されている原稿サイズ、送信サイズ及び読み込み解像度の組み合わせではスキャンできず、読み込み解像度を下げることによりスキャンできるようになること、すなわち現在設定されている原稿サイズ、送信サイズ及び読み込み解像度の組み合わせでは拡大画像データを送信できず、読み込み解像度を下げることにより拡大画像データの送信ができることがわかる。なお、上記の「スキャンできません。（フルカラー）」及び「読み込み解像度を下げてください。」というメッセージは、いずれか一方のみを表示するようにしてもよく、また、その表現も上記の例に特に限定されず、種々の変更が可能である。
【００５２】
また、スキャン不可画面Ｇ３の右端には、読み込み解像度変更ボタンＢ５〜Ｂ８が原稿サイズボタンＢ４等の原稿サイズ選択用ボタンと識別容易となるように一纏まりにして表示される。したがって、ユーザは、タッチパネル部５２のどこに読み込み解像度変更ボタンＢ５〜Ｂ８があるかを一目で認識することができ、読み込み解像度の変更を容易に行うことができる。
【００５３】
なお、読み込み解像度変更ボタンの表示位置は、上記の例に特に限定されず、読み込み解像度変更ボタンと原稿サイズ選択用ボタンとが識別可能であれば、スキャン不可画面の左側又は下側等に一纏まりにして表示してもよい。また、図８に示す例では、６００ｄｐｉの解像度変更ボタンＢ５を反転表示して現在設定されている解像度変更ボタンを視認可能にしているが、スキャン可能となる解像度変更ボタンの候補を他の解像度変更ボタンと識別可能に表示してもよく、例えば、解像度変更ボタンの候補に下線を付加したり、特定色又は特定のハッチング等を用いて表示してもよい。上記の点に関して後述する他のスキャン不可画面等も同様である。
【００５４】
次に、ステップＳ９において、スキャナコントローラ４２は、ユーザによる読み込み解像度の変更を受け付ける。例えば、ユーザが３００ｄｐｉの読み込み解像度変更ボタンＢ７をタッチすると、スキャナコントローラ４２は、読み込み解像度の設定を６００ｄｐｉから３００ｄｐｉへ変更する。
【００５５】
次に、ステップＳ１０において、スキャナコントローラ４２は、変更された読み込み解像度でスキャンできることをユーザに通知するためのスキャン許可画面をタッチパネル部５２に表示させ、その後、ステップＳ５へ処理を移行する。図９は、原稿サイズ選択時におけるスキャン許可画面の一例を示す画面図である。図９に示すように、タッチパネル部５２にスキャン許可画面Ｇ４が表示される。したがって、ユーザは、変更された読み込み解像度でスキャンできることがわかる。
【００５６】
ユーザによる原稿サイズの設定が行われない場合（ステップＳ２でＮＯ）、現在設定されている原稿サイズ、送信サイズ及び読み込み解像度の組み合わせでスキャンできる場合（ステップＳ４でＹＥＳ）、又はステップＳ１０の処理が終了した場合、ステップＳ５において、スキャナコントローラ４２は、ユーザによる送信サイズの設定が行われたか否かを判断し、送信サイズの設定が行われた場合にステップＳ６へ処理を移行し、送信サイズの設定が行われなかった場合にステップＳ１４へ処理を移行する。
【００５７】
具体的には、ユーザが図６に示す「送信サイズ選択」ボタンＢ２をタッチすると、スキャナコントローラ４２は、ユーザが送信サイズを設定するための送信サイズ選択画面をタッチパネル部５２に表示させ、ユーザが送信サイズ選択画面を用いて送信サイズを設定したときにユーザによる送信サイズの設定が行われたと判断し、その他の場合は送信サイズの設定が行われなかったと判断する。
【００５８】
図１０は、送信サイズ選択画面の一例を示す画面図である。図１０に示すように、タッチパネル部５２に送信サイズ選択画面Ｇ５が表示される。送信サイズ選択画面Ｇ５には、ユーザが送信サイズを選択するための複数の送信サイズボタンＢ９、及び読み込み解像度変更ボタンＢ５〜Ｂ８等が表示され、図１０に示す例では、送信サイズとして自動サイズが選択されている状態が示されている。ここで、自動サイズとは、スキャン可能な送信サイズを自動的に設定するものであり、図１０に示す例では、送信サイズがＡ４サイズに自動的に設定されている。
【００５９】
ここで、ユーザが送信サイズボタンＢ９のうちの一つをタッチしてユーザによる送信サイズの設定が行われた場合、ステップＳ６において、スキャナコントローラ４２は、ユーザが設定した送信サイズを受け付け、送信サイズを変更する。
【００６０】
次に、ステップＳ７において、スキャナコントローラ４２は、現在設定されている原稿サイズ、送信サイズ及び読み込み解像度の組み合わせでスキャンできるか否かを判断し、スキャンできる場合はステップＳ１４へ処理を移行し、スキャンできない場合はステップＳ１１へ処理を移行する。
【００６１】
スキャンできない場合、ステップＳ１１において、スキャナコントローラ４２は、現在設定されている原稿サイズ、送信サイズ及び読み込み解像度の組み合わせではスキャンできないこと及びスキャンするためには読み込み解像度を下げる必要があることをユーザに通知するためのスキャン不可画面をタッチパネル部５２に表示させる。
【００６２】
図１１は、送信サイズ選択時におけるスキャン不可画面の一例を示す画面図である。図１１に示すように、タッチパネル部５２にスキャン不可画面Ｇ６が表示される。スキャン不可画面Ｇ６の上部には、「スキャンできません。（フルカラー）」及び「読み込み解像度を下げてください。」というメッセージが表示される。したがって、ユーザは、送信サイズ選択時に、現在設定されている原稿サイズ、送信サイズ及び読み込み解像度の組み合わせではスキャンできず、読み込み解像度を下げることによりスキャンできるようになることがわかる。また、スキャン不可画面Ｇ６の右端には、読み込み解像度変更ボタンＢ５〜Ｂ８が送信サイズボタンＢ９等の送信サイズ選択用ボタンと識別容易となるように一纏まりにして表示されているので、この場合も、ユーザは読み込み解像度の変更を容易に行うことができる。
【００６３】
次に、ステップＳ１２において、スキャナコントローラ４２は、ユーザによる読み込み解像度の変更を受け付ける。例えば、ユーザが３００ｄｐｉの読み込み解像度変更ボタンＢ７をタッチすると、スキャナコントローラ４２は、読み込み解像度の設定を６００ｄｐｉから３００ｄｐｉへ変更する。
【００６４】
次に、ステップＳ１３において、スキャナコントローラ４２は、変更された読み込み解像度でスキャンできることをユーザに通知するためのスキャン許可画面をタッチパネル部５２に表示させ、その後、ステップＳ１４へ処理を移行する。図１２は、送信サイズ選択時におけるスキャン許可画面の一例を示す画面図である。図１２に示すように、タッチパネル部５２にスキャン許可画面Ｇ７が表示される。したがって、ユーザは、変更された読み込み解像度でスキャンできることがわかる。
【００６５】
ユーザによる送信サイズの設定が行われない場合（ステップＳ５でＮＯ）、現在設定されている原稿サイズ、送信サイズ及び読み込み解像度の組み合わせでスキャンできる場合（ステップＳ７でＹＥＳ）、又はステップＳ１３の処理が終了した場合、ステップＳ１４において、スキャナコントローラ４２は、ユーザによる読み込み解像度の設定が行われたか否かを判断し、読み込み解像度の設定が行われた場合にステップＳ１５へ処理を移行し、読み込み解像度の設定が行われなかった場合にステップＳ１７へ処理を移行する。
【００６６】
具体的には、ユーザが図６に示す「読み込み解像度」ボタンＢ３をタッチすると、スキャナコントローラ４２は、ユーザが読み込み解像度を設定するための読み込み解像度選択画面をタッチパネル部５２に表示させ、ユーザが読み込み解像度選択画面を用いて読み込み解像度を設定したときにユーザによる読み込み解像度の設定が行われたと判断し、その他の場合は読み込み解像度の設定が行われなかったと判断する。
【００６７】
図１３は、読み込み解像度選択画面の一例を示す画面図である。図１３に示すように、タッチパネル部５２に読み込み解像度選択画面Ｇ８が表示される。読み込み解像度選択画面Ｇ８には、ユーザが読み込み解像度を選択するための複数の読み込み解像度変更ボタンＢ１１〜Ｂ１４等が表示され、図１３に示す例では、３００ｄｐｉの読み込み解像度変更ボタンＢ１３が選択されており、読み込み解像度変更ボタンＢ１３が反転表示されている。
【００６８】
ここで、ユーザが読み込み解像度変更ボタンＢ１１〜Ｂ１４の一つをタッチしてユーザによる読み込み解像度の設定が行われた場合、ステップＳ１５において、スキャナコントローラ４２は、ユーザが設定した読み込み解像度を受け付け、読み込み解像度を変更する。
【００６９】
次に、ステップＳ１６において、スキャナコントローラ４２は、現在設定されている原稿サイズ、送信サイズ及び読み込み解像度の組み合わせでスキャンできるか否かを判断し、スキャンできる場合はステップＳ１７へ処理を移行し、スキャンできない場合はステップＳ２０へ処理を移行する。
【００７０】
スキャンできない場合、ステップＳ２０において、スキャナコントローラ４２は、現在設定されている原稿サイズ、送信サイズ及び読み込み解像度の組み合わせではスキャンできないこと及びスキャンするためには読み込み解像度を下げる必要があることをユーザに通知するためのスキャン不可画面をタッチパネル部５２に表示させる。
【００７１】
図１４は、読み込み解像度選択時におけるスキャン不可画面の一例を示す画面図である。図１４に示すように、タッチパネル部５２にスキャン不可画面Ｇ９が表示される。図１４に示す例では、６００ｄｐｉの解像度ボタンＢ１１が選択されて反転表示され、スキャン不可画面Ｇ９の上部に、「スキャンできません。（フルカラー）」及び「読み込み解像度を下げてください。」というメッセージが表示される。したがって、ユーザは、読み込み解像度選択時に、現在設定されている原稿サイズ、送信サイズ及び読み込み解像度の組み合わせではスキャンできず、読み込み解像度を下げることによりスキャンできるようになることがわかる。
【００７２】
次に、ステップＳ２１において、スキャナコントローラ４２は、ユーザによる読み込み解像度の変更を受け付ける。例えば、ユーザが３００ｄｐｉの読み込み解像度変更ボタンＢ１３をタッチすると、スキャナコントローラ４２は、読み込み解像度の設定を６００ｄｐｉから３００ｄｐｉへ変更する。
【００７３】
次に、ステップＳ２２において、スキャナコントローラ４２は、変更された読み込み解像度でスキャンできることをユーザに通知するためのスキャン許可画面をタッチパネル部５２に表示させ、その後、ステップＳ１７へ処理を移行する。例えば、ユーザが読み込み解像度を６００ｄｐｉから３００ｄｐｉへ変更した場合、図１３に示す読み込み解像度選択画面Ｇ８が、読み込み解像度選択時におけるスキャン許可画面としてタッチパネル部５２に表示される。したがって、ユーザは、変更された読み込み解像度でスキャンできることがわかる。
【００７４】
次に、ステップＳ１７において、スキャナコントローラ４２は、ユーザが操作キー部５３のスタートキー４０２を押下したか否かを判断し、スタートキー４０２が押下された場合はステップＳ１８へ処理を移行し、スタートキー４０２が押下されていない場合はステップＳ１７を繰り返す。
【００７５】
スタートキー４０２が押下された場合、ステップＳ１８において、スキャナコントローラ４２は、現在設定されている原稿サイズ、送信サイズ及び読み込み解像度の組み合わせでスキャンできるか否かを判断し、スキャンできる場合はステップＳ１９へ処理を移行し、スキャンできない場合はステップＳ２３へ処理を移行する。
【００７６】
スキャンできない場合、ステップＳ２３において、スキャナコントローラ４２は、現在設定されている原稿サイズ、送信サイズ及び読み込み解像度の組み合わせではスキャンできないこと及びスキャンするためには読み込み解像度を下げる必要があることをユーザに通知するためのスキャン不可画面をタッチパネル部５２に表示させる。
【００７７】
図１５は、スキャナ設定時におけるスキャン不可画面の一例を示す画面図である。図１５に示すように、タッチパネル部５２にスキャン不可画面Ｇ１０が表示される。図１５に示す例では、送信サイズがＡ３サイズで読み込み解像度が６００ｄｐｉのときにＡ４サイズの原稿がセットされて当該原稿のサイズが自動検知され、スキャン不可画面Ｇ１０の上部に、「スキャンできません。（フルカラー）」及び「読み込み解像度を下げてください。」というメッセージが表示される。
【００７８】
したがって、ユーザは、原稿サイズ、送信サイズ及び読み込み解像度を設定することなく（デフォルト値に設定されている場合）、原稿をセットしたときに、現在設定されている原稿サイズ、送信サイズ及び読み込み解像度の組み合わせではスキャンできず、読み込み解像度を下げることによりスキャンできるようになることがわかる。
【００７９】
次に、ステップＳ２４において、スキャナコントローラ４２は、ユーザによる読み込み解像度の変更を受け付ける。例えば、ユーザが図１４に示す３００ｄｐｉの読み込み解像度変更ボタンＢ１３をタッチすると、スキャナコントローラ４２は、読み込み解像度の設定を６００ｄｐｉから３００ｄｐｉへ変更する。
【００８０】
次に、ステップＳ２５において、スキャナコントローラ４２は、変更された読み込み解像度でスキャンできることをユーザに通知するためのスキャン許可画面をタッチパネル部５２に表示させ、その後、ステップＳ１９へ処理を移行する。図１６は、スキャナ設定時におけるスキャン許可画面の一例を示す画面図である。図１６に示すように、タッチパネル部５２にスキャン許可画面Ｇ１１が表示される。したがって、ユーザは、変更された読み込み解像度でスキャンできることがわかる。
【００８１】
現在設定されている原稿サイズ、送信サイズ及び読み込み解像度の組み合わせでスキャンできる場合（ステップＳ１８でＹＥＳ）、又はステップＳ２５の処理が終了した場合、ステップＳ１９において、スキャナコントローラ４２は、セットされた原稿をスキャナ部１１により読み取って当該原稿を拡大したカラーの画像データを画像処理部２１により作成し、作成した画像データをクライアントＰＣ２ａ，２ｂ等の送信先へ送信し、カラー画像拡大送信処理を終了する。
【００８２】
例えば、原稿サイズがＡ４サイズ、送信サイズがＡ３サイズ及び読み込み解像度が３００ｄｐｉの場合、スキャナコントローラ４２は、スキャナ部１１によりカラーで且つ６００ｄｐｉの読み込み解像度でＡ４サイズの原稿を読み取って画像処理部２１により拡大したＡ３サイズのカラーの画像データを作成し、作成したカラーの画像データをネットワークＩ／Ｆ部７１からＬＡＮ４を介して送信先のクライアントＰＣ２ａ，２ｂ等へ直接送信する。なお、画像データの拡大処理は、上記のようにして読み込み解像度を上げて作成してもよいし、また、ユーザが設定した読み込み解像度で画像データを読み込み、この画像データを拡大処理により拡大して作成してもよい。
【００８３】
他の送信機能が設定されている場合、ステップＳ１９の処理として、Ｅ−ｍａｉｌ送信機能では、スキャナコントローラ４２は、スキャナ部１１により読み取ったカラーの拡大画像データを電子メールの添付ファイルとしてネットワークＩ／Ｆ部７１からＬＡＮ４を介してＳＭＴＰサーバ３へ直接送信し、インターネット６を介して送信先の外部ＰＣ５ａ，５ｂ等へ電子メールの添付ファイルとして画像データが送信される。また、ＦＡＸ送信機能が設定されている場合、スキャナコントローラ４２は、スキャナ部１１により読み取ったカラーの拡大画像データをファクシミリ通信部６１から電話回線を介して任意のファクシミリ装置７等へ直接送信する。さらに他の送信機能が設定されている場合も、上記と同様にしてカラーの拡大画像データが当該機能に応じて設定された送信先に送信される。
【００８４】
このように、本実施の形態では、ユーザが設定した原稿サイズ、送信サイズ及び読み込み解像度の組み合わせが拡大画像データを送信できない組み合わせであると判断すると、原稿をスキャンできないこと及び読み込み解像度を下げることにより原稿をスキャンできることが表示されることにより、拡大画像データを送信できないこと及び読み込み解像度を下げることにより拡大画像データの送信ができることがユーザに通知されるので、ユーザは拡大画像データを送信できるように読み込み解像度を変更することができ、原稿をカラーで読み取って拡大した画像データを送信することができない場合にユーザの操作を支援することができる。
【００８５】
次に、上記のように構成されたデジタル複合機による他のカラー画像拡大送信処理について説明する。図１７及び図１８は、図３に示すデジタル複合機のカラー画像拡大送信処理の他の一例を説明するためのフローチャートである。なお、以下の説明では、図４及び図５に示す処理と同様の処理については同一符号を付して説明を省略し、本カラー画像拡大送信処理の特徴的処理であるステップＳ３１〜Ｓ３９について詳細に説明する。
【００８６】
まず、ユーザがタッチパネル部５２を操作してスキャナ初期設定画面の中から自動解像度設定画面を表示させる指令を入力すると、ステップＳ１において、スキャナコントローラ４２は、カラー画像拡大送信処理において読み込み解像度を自動的に変更する自動解像度の設定の有無をユーザの選択に応じて設定するための自動解像度設定画面をタッチパネル部５２に表示させ、ユーザが選択した自動解像度の設定が受け付けられる。
【００８７】
図１９は、自動解像度設定画面の一例を示す画面図である。図１９に示す自動解像度設定画面Ｇ１２には、自動解像度を設定しないための「設定なし」ボタンＢ２１及び自動解像度を設定するための「設定する」ボタンＢ２２が表示される。したがって、ユーザは、「設定する」ボタンＢ２２をタッチすることにより、自動解像度有の設定を選択することができ、この場合、スキャナコントローラ４２は、自動解像度有の設定を受け付け、後述するステップＳ３２，Ｓ３４，Ｓ３６，Ｓ３８において自動解像度処理が実行される。なお、ユーザが「設定なし」ボタンＢ２１をタッチして自動解像度無の設定を選択した場合は、スキャナコントローラ４２は、自動解像度無の設定を受け付け、図４及び図５に示すカラー画像拡大送信処理を実行する。
【００８８】
次に、ユーザがタッチパネル部５２を操作してスキャナ設定画面を表示させる指令を入力すると、図４に示すカラー画像拡大送信処理と同様に、スキャナコントローラ４２は、ステップＳ１〜Ｓ４の処理を実行し、ユーザによる原稿サイズの設定が行われ、現在設定されている原稿サイズ、送信サイズ及び読み込み解像度の組み合わせでスキャンできない場合（ステップＳ４でＮＯ）、ステップＳ３２において、スキャナコントローラ４２は、現在設定されている原稿サイズ及び送信サイズでスキャンできるように読み込み解像度の設定を下げる。例えば、原稿サイズがＡ４サイズ、送信サイズがＡ３サイズ、読み込み解像度が６００ｄｐｉの場合、スキャナコントローラ４２は、読み込み解像度の設定を６００ｄｐｉから３００ｄｐｉへ変更する。
【００８９】
次に、ステップＳ３３において、スキャナコントローラ４２は、スキャンできるように読み込み解像度が自動的に変更されたこと及び変更した読み込み解像度でスキャンできることをユーザに通知するための自動変更確認画面をタッチパネル部５２に表示させ、その後、ステップＳ５へ処理を移行する。
【００９０】
図２０は、原稿サイズ選択時における自動変更確認画面の一例を示す画面図である。図２０に示すように、タッチパネル部５２に自動変更確認画面Ｇ１３が表示される。自動変更確認画面Ｇ１３の上部には、「スキャンできます。（フルカラー）」及び「解像度が変更されました。（６００⇒３００ｄｐｉ）」というメッセージが表示される。したがって、ユーザは、読み込み解像度が自動的に変更され、変更された読み込み解像度でスキャンできることがわかる。
【００９１】
また、自動変更確認画面Ｇ１３の右端には、読み込み解像度変更ボタンＢ５〜Ｂ８が原稿サイズボタンＢ４等の原稿サイズ選択用ボタンと識別容易となるように一纏まりにして表示される。したがって、ユーザは、タッチパネル部５２のどこに読み込み解像度変更ボタンＢ５〜Ｂ８があるかを一目で認識することができるので、自動的に変更された読み込み解像度に満足しない場合、読み込み解像度の再変更を容易に行うことができる。
【００９２】
次に、図４に示すカラー画像拡大送信処理と同様に、スキャナコントローラ４２は、ステップＳ５〜Ｓ７の処理を実行し、ユーザによる送信サイズの設定が行われ、現在設定されている原稿サイズ、送信サイズ及び読み込み解像度の組み合わせでスキャンできない場合（ステップＳ７でＮＯ）、ステップＳ３４において、スキャナコントローラ４２は、現在設定されている原稿サイズ及び送信サイズでスキャンできるように読み込み解像度の設定を下げる。
【００９３】
次に、ステップＳ３５において、スキャナコントローラ４２は、スキャンできるように読み込み解像度が自動的に変更されたこと及び変更した読み込み解像度でスキャンできることをユーザに通知するための自動変更確認画面をタッチパネル部５２に表示させ、その後、ステップＳ１４へ処理を移行する。
【００９４】
図２１は、送信サイズ選択時における自動変更確認画面の一例を示す画面図である。図２１に示すように、タッチパネル部５２に自動変更確認画面Ｇ１４が表示される。自動変更確認画面Ｇ１４の上部には、「スキャンできます。（フルカラー）」及び「解像度が変更されました。（６００⇒３００ｄｐｉ）」というメッセージが表示される。したがって、ユーザは、読み込み解像度が自動的に変更され、変更された読み込み解像度でスキャンできることがわかる。
【００９５】
次に、図５に示すカラー画像拡大送信処理と同様に、スキャナコントローラ４２は、ステップＳ１４〜Ｓ１６の処理を実行し、ユーザによる読み込み解像度の設定が行われ、現在設定されている原稿サイズ、送信サイズ及び読み込み解像度の組み合わせでスキャンできない場合（ステップＳ１６でＮＯ）、ステップＳ３６において、スキャナコントローラ４２は、現在設定されている原稿サイズ及び送信サイズでスキャンできるように読み込み解像度の設定を下げる。
【００９６】
次に、ステップＳ３７において、スキャナコントローラ４２は、スキャンできることをユーザに通知するための自動変更確認画面をタッチパネル部５２に表示させ、その後、ステップＳ１７へ処理を移行する。例えば、読み込み解像度選択時における自動変更確認画面として、図１３に示す読み込み解像度選択画面Ｇ８がタッチパネル部５２に表示される。解像度選択画面Ｇ８の上部には、「スキャンできます。（フルカラー）」というメッセージが表示されるとともに、自動的に変更された３００ｄｐｉの読み込み解像度変更ボタンＢ１３が反転表示される。したがって、ユーザは、現在の読み込み解像度でスキャンできることがわかる。
【００９７】
なお、上記の自動変更確認画面として、図２０及び図２１に示す自動変更確認画面Ｇ１３，Ｇ１４と同様に、スキャンできるように読み込み解像度が自動的に変更されたことも表示するようにしてもよい。また、ステップＳ１５の処理において、スキャンできない読み込み解像度を受け付けにないようにしてもよく、この場合、ステップＳ１６，Ｓ３６，Ｓ３７の処理を省略してもよい。
【００９８】
次に、図５に示すカラー画像拡大送信処理と同様に、スキャナコントローラ４２は、ステップＳ１７，Ｓ１８の処理を実行し、ユーザによりスタートキー４０２が押下され、現在設定されている原稿サイズ、送信サイズ及び読み込み解像度の組み合わせでスキャンできない場合（ステップＳ１８でＮＯ）、ステップＳ３８において、スキャナコントローラ４２は、現在設定されている原稿サイズ及び送信サイズでスキャンできるように読み込み解像度の設定を下げる。
【００９９】
次に、ステップＳ３９において、スキャナコントローラ４２は、スキャンできるように読み込み解像度が自動的に変更されたこと及び変更した読み込み解像度でスキャンできることをユーザに通知するための自動変更確認画面をタッチパネル部５２に表示させ、その後、ステップＳ１９へ処理を移行する。
【０１００】
図２２は、スキャナ設定時における自動変更確認画面の一例を示す画面図である。図２２に示すように、タッチパネル部５２に自動変更確認画面Ｇ１５が表示される。自動変更確認画面Ｇ１５の上部には、「スキャンできます。（フルカラー）」及び「解像度が変更されました。（６００⇒３００ｄｐｉ）」というメッセージが表示される。したがって、ユーザは、読み込み解像度が自動的に変更され、変更された読み込み解像度でスキャンできることがわかる。
【０１０１】
次に、図５に示すカラー画像拡大送信処理と同様に、スキャナコントローラ４２は、ステップＳ１９の処理を実行し、セットされた原稿をスキャナ部１１により読み取って当該原稿を拡大したカラーの画像データを画像処理部２１により作成し、作成した画像データをクライアントＰＣ２ａ，２ｂ等の送信先へ送信し、カラー画像拡大送信処理を終了する。
【０１０２】
このように、上記のカラー画像拡大送信処理では、ユーザが設定した原稿サイズ、送信サイズ及び読み込み解像度の組み合わせが原稿をスキャンできない組み合わせすなわち拡大画像データを送信できない組み合わせであると判断すると、拡大画像データを送信できるように読み込み解像度が自動的に変更されるので、ユーザ自身が読み込み解像度を変更する操作をしなくても拡大画像データを送信できるように読み込み解像度を変更することができるとともに、カラー画像拡大送信時の操作性を向上することができる。また、原稿をスキャンできるように読み込み解像度を自動的に変更したことを表示することにより、拡大画像データを送信できるように読み込み解像度を自動的に変更したことがユーザに通知されるので、ユーザの希望しない読み込み解像度が自動的に設定されて拡大画像データが送信されることを防止することができる。
【０１０３】
なお、本発明が適用される画像読み取り装置は、上記のデジタル複合機に特に限定されず、所定のネットワークを介して他の機器へ拡大したカラー画像データを送信するものであれば、ネットワーク型スキャナ装置、ネットワーク型ファクシミリ装置等にも本発明を同様に適用することができる。
【０１０４】
また、拡大した画像データを送信できないことに関する情報は、上記の例に特に限定されず、種々の変更が可能であり、また、その通知方法も、上記の表示方法に特に限定されず、種々の変更が可能であり、例えば、音声により上記のメッセージ等を伝えるようにしてもよい。
【０１０５】
また、上記の例では、読み込み解像度変更ボタンＢ５〜Ｂ８等の各操作ボタンをタッチパネル部５２を用いて表示したが、この例に特に限定されず、操作キー部５３と同様にスイッチ等からなる機械的なボタンを用いてもよい。
【０１０６】
【発明の効果】
本発明によれば、ユーザにより選択された読み込み解像度に応じて第１のサイズの原稿をカラーで読み取って第１のサイズより大きい第２のサイズの拡大画像データを作成するときに、読み込み解像度、第１のサイズ及び第２のサイズの組み合わせが拡大画像データを送信できない組み合わせであると判断された場合、拡大画像データを送信できないことに関する情報がユーザに通知され、ユーザは、現在の設定で拡大画像データを送信できないことを明確に認識することができるので、読み込み解像度、原稿画像データのサイズ及び拡大画像データのサイズのいずれかを変更して拡大画像データを送信できるようにすることができ、原稿をカラーで読み取って拡大した画像データを送信することができない場合にユーザの操作を支援することができる。
【図面の簡単な説明】
【図１】  本発明の一実施の形態によるデジタル複合機を用いネットワークシステムの構成を示すブロック図である。
【図２】  図１に示すデジタル複合機の機械的構成を主に示す側面概略図である。
【図３】  図１に示すデジタル複合機の電気的構成を主に示すブロック図である。
【図４】  図３に示すデジタル複合機のカラー画像拡大送信処理の一例を説明するためのフローチャートである。
【図５】  図３に示すデジタル複合機のカラー画像拡大送信処理の一例を説明するためのフローチャートである。
【図６】  スキャナ設定画面の一例を示す画面図である。
【図７】  原稿サイズ選択画面の一例を示す画面図である。
【図８】  原稿サイズ選択時におけるスキャン不可画面の一例を示す画面図である。
【図９】  原稿サイズ選択時におけるスキャン許可画面の一例を示す画面図である。
【図１０】  送信サイズ選択画面の一例を示す画面図である。
【図１１】  送信サイズ選択時におけるスキャン不可画面の一例を示す画面図である。
【図１２】  送信サイズ選択時におけるスキャン許可画面の一例を示す画面図である。
【図１３】  読み込み解像度選択画面の一例を示す画面図である。
【図１４】  読み込み解像度選択時におけるスキャン不可画面の一例を示す画面図である。
【図１５】  スキャナ設定時におけるスキャン不可画面の一例を示す画面図である。
【図１６】  スキャナ設定時におけるスキャン許可画面の一例を示す画面図である。
【図１７】  図３に示すデジタル複合機のカラー画像拡大送信処理の他の一例を説明するためのフローチャートである。
【図１８】  図３に示すデジタル複合機のカラー画像拡大送信処理の他の一例を説明するためのフローチャートである。
【図１９】  自動解像度設定画面の一例を示す画面図である。
【図２０】  原稿サイズ選択時における自動変更確認画面の一例を示す画面図である。
【図２１】  送信サイズ選択時における自動変更確認画面の一例を示す画面図である。
【図２２】  スキャナ設定時における自動変更確認画面の一例を示す画面図である。
【符号の説明】
１  デジタル複合機
１１  スキャナ部
２１  画像処理部
４１  制御部
４２  スキャナコントローラ
５１  操作パネル部
５２  タッチパネル部
６１  ファクシミリ通信部
７１  ネットワークＩ／Ｆ部
【図１】
0003723175.tif 000002
【図２】
0003723175.tif 000003
【図３】
0003723175.tif 000004
【図４】
0003723175.tif 000005
【図５】
0003723175.tif 000006
【図６】
0003723175.tif 000007
【図７】
0003723175.tif 000008
【図８】
0003723175.tif 000009
【図９】
0003723175.tif 000010
【図１０】
0003723175.tif 000011
【図１１】
0003723175.tif 000012
【図１２】
0003723175.tif 000013
【図１３】
0003723175.tif 000014
【図１４】
0003723175.tif 000015
【図１５】
0003723175.tif 000016
【図１６】
0003723175.tif 000017
【図１７】
0003723175.tif 000018
【図１８】
0003723175.tif 000019
【図１９】
0003723175.tif 000020
【図２０】
0003723175.tif 000021
【図２１】
0003723175.tif 000022
【図２２】
0003723175.tif 000023